(57)【要約】【課題】ケーブル収容空間内におけるケーブル類を簡便かつ確実に保持するとともにケーブル類の摺動による摩耗損傷と騒音を抑制し、少ない部品点数で安価なケーブル類保護案内装置を提供すること。  【解決手段】左右に離間配置した一対のリンクプレート１１１、１１１の相互間に屈曲内周側連結板１１２及び屈曲外周側連結板１１３をそれぞれ横架した矩形断面のリンク枠体１１０がリンクプレート１１１に設けた連結ピン１１１ａと連結ピン孔１１１ｂとを相互に屈曲自在に多数連結されているとともに、ケーブル類Ｃの装着部位を囲繞保持する発泡樹脂製支持体１２０がリンク枠体１１０に対して圧着状態でケーブル収容空間内に配置されているケーブル類保護案内装置１００。  【選択図】図２
2011220377.tif 000002
【特許請求の範囲】
【請求項１】
左右に離間配置した一対のリンクプレートの相互間に屈曲内周側連結板及び屈曲外周側連結板をそれぞれ横架した矩形断面のリンク枠体が前記リンクプレートに設けた連結ピンと連結ピン孔とを相互に屈曲自在に多数連結してケーブル収容空間を形成することにより該ケーブル収容空間の長手方向に沿ってケーブル類を収容して案内保護するケーブル類保護案内装置において、
前記ケーブル類の装着部位を囲繞保持する発泡樹脂製支持体が、前記リンク枠体に対して圧着状態でケーブル収容空間内に配置されていることを特徴とするケーブル類保護案内装置。
【請求項２】
前記発泡樹脂製支持体が、前記ケーブル類を着脱自在に装着するスリット状開口部と該スリット状開口部に連通してケーブル類の装着部位を囲繞保持するケーブル保持部とを備えていることを特徴とする請求項１記載のケーブル類保護案内装置。
【請求項３】
前記発泡樹脂製支持体が、前記屈曲内周側連結板及び屈曲外周側連結板を掴持するように成形されていることを特徴とする請求項１または請求項２に記載のケーブル類保護案内装置。
【発明の詳細な説明】
【技術分野】
【０００１】
本発明は、産業用機械や車両等に使用されるケーブル類保護案内装置に関するものであって、さらに詳しくは、産業用機械や車両等の可動部分に電力、油圧または圧縮空気等を供給するケーブルやホース等（以下、「ケーブル類」と称する）をケーブル収容空間内に収容した状態でケーブル固定端側とケーブル移動端側との間で生じる屈曲動作においてケーブル類を案内保護するのに好適なケーブル類保護案内装置に関するものである。
【０００２】
従来、ケーブル類保護案内装置のケーブル収容空間に縦横に仕切板が設けられ、この仕切板によって区画された小空間の内部にケーブル類を収容するものが知られている。
たとえば、従来のケーブル類保護案内装置として、図８及び図９に示されるように、連結ピン９１１ａ及び連結ピン穴９１１ｂを備えてケーブル類Ｃの両側に離間して配置される一対のリンクプレート９１１、９１１とこれらのリンクプレート９１１、９１１の屈曲内周側と屈曲外周側とにそれぞれ一対のリンクプレート９１１、９１１に亙って横架される屈曲内周側連結板９１２及び屈曲外周側連結板９１３とによってリンク枠体９１０が形成され、このリンク枠体９１０が連結ピン９１１ａ及び連結ピン穴９１１ｂにより長手方向に屈曲自在に多数連結されたケーブル類保護案内装置９００がある。
そして、このようなケーブル類保護案内装置９００のリンク枠体９１０の内部には、リンクプレート９１１と平行に屈曲内周側連結板９１２及び屈曲外周側連結板９１３の双方に亙って立設される縦仕切板９３０とこの縦仕切板９３０の穴部９３１に屈曲内周側連結板９１２及び屈曲外周側連結板９１３と平行に組み込まれる横仕切版９２０がそれぞれ設けられ、一対のリンクプレート９１１、９１１と屈曲内周側連結板９１２と屈曲外周側連結板９１３とにより構成される矩形断面のケーブル収容空間を横仕切板９２０と縦仕切版９３０とで区画された複数の小空間内にケーブル類を収容配置するように構成されている（例えば、特許文献１参照）。
【先行技術文献】
【特許文献】
【０００３】
【特許文献１】特開２００４−３２４８５１号公報（第１頁、図１）
【発明の概要】
【発明が解決しようとする課題】
【０００４】
ところが、このような従来のケーブル類保護案内装置９００は、屈曲内周側連結板９１２と屈曲外周側連結板９１３との間に横仕切板９２０と縦仕切板９３０とが組み込まれた構造であるため、部品点数が多くなりコストアップとなるという問題や、これら横仕切板９２０及び縦仕切板９３０をリンク枠体９１０に組み付けたりケーブル類Ｃを挿通したりする作業が煩雑となるという問題があった。
【０００５】
また、このようなケーブル類保護案内装置９００に収容されるケーブルＣが横仕切板９１２の内周側又は外周側に挿通されているため、このケーブル類保護案内装置９００が屈曲する際、屈曲外周側のケーブル類Ｃを過度に引き伸ばそうとする力と屈曲内周側のケーブル類Ｃを過度に圧縮しようとする力とが発生したり、あるいは、ケーブル類保護案内装置９００の屈曲姿勢と伸長姿勢との繰り返すため、ケーブル類Ｃが屈曲内周側連結板９１２、横仕切板９２０、屈曲外周連結板９１３などに対して長手方向に摺動して摩耗損傷や摺動音、衝突音などの騒音を発生したりするという問題があった。
【０００６】
そこで、本発明は、上述した問題を解決するものであって、すなわち、本発明の目的は、ケーブル収容空間内におけるケーブル類を簡便かつ確実に保持するとともにケーブル類の摺動による摩耗損傷と騒音を抑制し、少ない部品点数で安価なケーブル類保護案内装置を提供することである。
【課題を解決するための手段】
【０００７】
本願の請求項１に係る発明は、左右に離間配置した一対のリンクプレートの相互間に屈曲内周側連結板及び屈曲外周側連結板をそれぞれ横架した矩形断面のリンク枠体が前記リンクプレートに設けた連結ピンと連結ピン孔とを相互に屈曲自在に多数連結してケーブル収容空間を形成することにより該ケーブル収容空間の長手方向に沿ってケーブル類を収容して案内保護するケーブル類保護案内装置において、前記ケーブル類の装着部位を囲繞保持する発泡樹脂製支持体が、前記リンク枠体に対して圧着状態でケーブル収容空間内に配置されていることによって、前述した課題を解決するものである。
【０００８】
そして、請求項２に係る発明は、請求項１に係る発明の構成に加えて、前記発泡樹脂製支持体が、前記ケーブル類を着脱自在に装着するスリット状開口部と該スリット状開口部に連通してケーブル類の装着部位を囲繞保持するケーブル保持部とを備えていることによって、前述した課題をさらに解決するものである。
【０００９】
また、請求項３に係る発明は、請求項１または請求項２に係る発明の構成に加えて、前記発泡樹脂製支持体が、前記屈曲内周側連結板及び屈曲外周側連結板を掴持するように成形されていることによって、前述した課題をさらに解決するものである。
【発明の効果】
【００１０】
本願の発明であるケーブル類保護案内装置は、左右に離間配置した一対のリンクプレートの相互間に屈曲内周側連結板及び屈曲外周側連結板をそれぞれ横架した矩形断面のリンク枠体がリンクプレートに設けた連結ピンと連結ピン孔とを相互に屈曲自在に多数連結してケーブル収容空間を形成することにより、ケーブル収容空間の長手方向に沿ってケーブル類を収容してケーブル固定端側とケーブル移動端側との間で案内保護することができるとともに、以下のような特有の効果を奏することができる。
【００１１】
すなわち、請求項１に係る発明によれば、ケーブル類の装着部位を囲繞保持する発泡樹脂製支持体がリンク枠体に対して圧着状態でケーブル収容空間内に配置されていることにより、ケーブル類を装着した発泡樹脂製支持体が発揮する弾発力でケーブル類の装着部位を囲繞保持するとともにリンク枠体に対する圧着力を増大させるため、従来のケーブル類保護案内装置で用いた横仕切板および縦仕切板を必要とすることなく、ケーブル収容空間内におけるケーブル類を確実に保持するとともに、従来のケーブル類保護案内装置で生じたような横仕切板および縦仕切板に対するケーブル類の摺動に起因した摩耗損傷と摺動音や衝突音からなる騒音を大幅に抑制することができる。
【００１２】
そして、従来のケーブル類保護案内装置で用いた横仕切板および縦仕切板を必要とせずに、発泡樹脂製支持体からなる単一の簡素な部品でケーブル収容空間内におけるケーブル類の収容作業あるいは取り出し作業を極めて簡便に達成するとともに軽量で安価なケーブル保持機能を達成することができる。
【００１３】
請求項２に係る発明によれば、請求項１に係る発明の奏する効果に加えて、発泡樹脂製支持体がケーブル類を着脱自在に装着するスリット状開口部を備えていることにより、発泡樹脂製支持体に対するケーブル類の着脱操作がスリット状開口部を介して出し入れ可能となるため、従来のケーブル類保護案内装置で用いた横仕切板および縦仕切板の取り外し作業を必要とせずに、ケーブル収容空間内におけるケーブル類の着脱作業を極めて簡便に達成することができる。
そして、上述した発泡樹脂製支持体のスリット状開口部がケーブル類を着脱自在に装着する時のみ弾力的に開閉するため、ケーブル収容空間内でケーブル類を安定した状態で確実に掴持することができる。
【００１４】
また、上述した発泡樹脂製支持体がケーブル類を着脱自在に装着するスリット状開口部に連通してケーブル類の装着部位を囲繞保持するケーブル保持部を備えていることにより、ケーブル類を装着した発泡樹脂製支持体のケーブル保持部が弾力的に変形するため、ケーブル類が屈曲する際に、ケーブル類を過度に引き伸ばそうとする力や圧縮しようとする力が発生しても、これらの力を発泡樹脂製支持体の弾性変形により吸収してケーブル類の屈曲疲労を大幅に軽減することができる。
【００１５】
しかも、上述した発泡樹脂製支持体が複数のスリット状開口部とこれらのスリット状開口部にそれぞれ連通するケーブル保持部とを備えている場合には、ケーブル収容空間内におけるケーブル類の収容位置をケーブル類の種類、ケーブル径などに応じて任意選択することができる。
【００１６】
さらに、請求項３に係る発明によれば、請求項１または請求項２に係る発明の奏する効果に加えて、発泡樹脂製支持体が屈曲内周側連結板及び屈曲外周側連結板を掴持するように成形されていることにより、発泡樹脂製支持体がリンク枠体に対して確実に位置決め支持されるため、発泡樹脂製支持体がケーブル収容空間内の長手方向に不用意に位置ズレすることなくケーブル類を確実に保持することができる。
【図面の簡単な説明】
【００１７】
【図１】本発明の第１実施例であるケーブル類保護案内装置を示す概略図。
【図２】図１に示すリンク枠体と発泡樹脂製支持体との組み立て分解図。
【図３】本発明の第２実施例で用いた発泡樹脂製支持体を示す斜視図。
【図４】本発明の第３実施例で用いた発泡樹脂製支持体を示す斜視図。
【図５】本発明の第４実施例で用いた発泡樹脂製支持体を示す斜視図。
【図６】本発明の第５実施例で用いた発泡樹脂製支持体を示す斜視図。
【図７】本発明の第６実施例で用いた発泡樹脂製支持体を示す斜視図。
【図８】従来のケーブル類保護案内装置を示す概略図。
【図９】図８に示すリンク枠体と横仕切板と縦仕切板の組み立て分解図。
【発明を実施するための形態】
【００１８】
本願の発明は、左右に離間配置した一対のリンクプレートの相互間に屈曲内周側連結板及び屈曲外周側連結板をそれぞれ横架した矩形断面のリンク枠体がリンクプレートに設けた連結ピンと連結ピン孔とを相互に屈曲自在に多数連結してケーブル収容空間を形成することによりケーブル収容空間の長手方向に沿ってケーブル類を収容して案内保護するケーブル類保護案内装置において、ケーブル類の装着部位を囲繞保持する発泡樹脂製支持体がリンク枠体に対して圧着状態でケーブル収容空間内に配置され、ケーブル収容空間内におけるケーブル類を簡便かつ確実に保持するとともにケーブル類の摺動による摩耗損傷と騒音を抑制し、少ない部品点数で安価なものであれば、その具体的な形態を如何なるものであっても構わない。
【００１９】
すなわち、本発明のケーブル類保護案内装置で用いる発泡樹脂製支持体の具体的な素材については、ケーブル類の装着部位を囲繞保持するとともにリンク枠体に対して圧着状態でケーブル収容空間内に配置可能なものであれば如何なる発泡樹脂で成形されても良く、例えば、硬質発泡ウレタン樹脂、発泡ポリエチレン樹脂などで成形されても良い。
【００２０】
また、本発明のケーブル類保護案内装置で用いる発泡樹脂製支持体の具体的な形態については、ケーブル類の装着部位を囲繞保持するとともにリンク枠体に対して圧着状態でケーブル収容空間内に配置可能なものであれば如何なる形態でも良く、例えば、発泡樹脂製支持体が屈曲内周側連結板及び屈曲外周側連結板を掴持する形態、すなわち、発泡樹脂製支持体の両側部を突出させて屈曲内周側連結板及び屈曲外周側連結板のいずれか一方又は両方を抱き込む形態とすれば、発泡樹脂製支持体がリンク枠体に対して確実に位置決め支持されるため、発泡樹脂製支持体をリンク枠体に対してより安定して装着することが可能となる。
【００２１】
さらに、本発明で用いた発泡樹脂製支持体に形成するスリット状開口部の具体的な形態については、ケーブル類を着脱自在に装着可能なものであれば如何なる形態でも良く、例えば、屈曲外周側から屈曲内周側に向けて垂直あるいは斜めに切り込んだ形態などのいずれであっても何ら差し支えない。
【００２２】
また、本発明で用いた発泡樹脂製支持体に形成するケーブル保持部の具体的な形態については、スリット状開口部に連通してケーブル類の装着部位を囲繞保持するものであれば如何なる形態でも良く、例えば、ケーブル類のケーブル径よりも小径の穴形態を備えて弾性変形可能なもの、スリット状開口部に連通して交差する別異のスリット形態を備えて弾性変形可能なもの、ケーブル類のケーブル径と略同径に放射状スリット形態を備えて弾性変形可能なものなどのいずれであっても何ら差し支えない。
【実施例】
【００２３】
以下、本発明の実施形態であるケーブル類保護案内装置について、図面を参照して説明する。
まず、図１は、本発明の第１実施例であるケーブル類保護案内装置を示す概略図であり、図２は、図１に示すリンク枠体と発泡樹脂製支持体との組み立て分解図であり、図３は、本発明の第２実施例で用いた発泡樹脂製支持体を示す斜視図であり、図４は、本発明の第３実施例で用いた発泡樹脂製支持体を示す斜視図であり、図５は、本発明の第４実施例で用いた発泡樹脂製支持体を示す斜視図であり、図６は、本発明の第５実施例で用いた発泡樹脂製支持体を示す斜視図であり、図７は、本発明の第６実施例で用いた発泡樹脂製支持体を示す斜視図である。
【００２４】
図１に示すような本発明の第１実施例であるケーブル類保護案内装置１００は、例えば、半導体のチップマウンター、工作機械、建機、又は車両等の可動部と静止部との間に張設される、電気信号の伝達や電力の供給を行う電気ケーブルや油圧又は空気圧の供給行うホース等のケーブル類Ｃを内部に収容して保護案内するために使用されるもので、矩形状のリンク枠体１１０がケーブル類Ｃの長手方向に沿って多数連結され、工作機械等の可動部に連結されるケーブル固定端側と固定部（図示しない）に連結されるケーブル移動端側との間の相対移動に応じて直線状態、あるいは屈曲状態を呈することが可能であり、これらのリンク枠体１１０を連結して形成されたケーブル収容空間内にケーブル類Ｃを収容した状態で保護案内できるようになっている。
【００２５】
上述したリンク枠体１１０は、強度特性に優れた硬質のガラス繊維強化ポリアミド系樹脂で成形され、左右両側に離間して配置された一対のリンクプレート１１１、１１１と、これら一対のリンクプレート１１１、１１１の屈曲内周側に横架された屈曲内周側連結板１１２と、屈曲外周側に横架された屈曲外周側連結板１１３とが一体的に矩形状をなして構成されている。
【００２６】
なお、本実施例の場合には、左右一対のリンクプレート１１１、１１１と屈曲内周側連結板１１２とは、射出成形により一体的に成形されているが、屈曲外周側連結板１１３は、一端が一方のリンクプレート１１１に回動可能に連結されるとともに他端が他方のリンクプレート１１１に係合可能とされ、屈曲外周側連結板１１３が左右一対のリンクプレート１１１、１１１に対して開閉可能に組み付けられている。
【００２７】
そして、リンクプレート１１１は、側面視で長円形をなすものであって、リンクプレート１１１の前方側と後方側とは厚さ方向にオフセットした、すなわち、段差を有する構造を呈しているものであり、さらに、リンクプレート１１１の後方側に形成されたプレート側面には連結ピン１１１ａが設けられるとともに、リンクプレート１１１の前方側に形成されたプレート側面には連結ピン１１１ａと略同径の連結ピン穴１１１ｂが設けられている。
これにより、後続するリンクプレート１１１の前方側に設けられた連結ピン１１１ａを先行するリンクプレート１１１の後方側に設けられた連結ピン穴１１１ｂに嵌着してリンク枠体１１０同士が回動可能に連結され、これらのリンク枠体１１０同士が順次連結されてケーブル類の長手方向にケーブル収容空間が形成されている。
【００２８】
そして、これらのリンク枠体１１０には、ケーブル類Ｃの装着部位を囲繞保持するために、発泡ウレタンからなる弾力性のある発泡樹脂製支持体１２０がそれぞれ設けられている。
【００２９】
そこで、本実施例のケーブル類保護案内装置１００が最も特徴とする発泡樹脂製支持体１２０について、図２に基づいて詳しく説明する。
すなわち、発泡ウレタンからなる弾力性を発揮するとともに大略直方体状の形状を呈した発泡樹脂製支持体１２０は、硬質のガラス繊維強化ポリアミド系樹脂からなる矩形状のリンク枠体１１０に対して少なくとも屈曲内周側連結板１１２と屈曲外周側連結板１１３との間に渡って圧着状態でケーブル収容空間内にそれぞれ配置されている。
これにより、ケーブル類Ｃを装着した大略直方体状の発泡樹脂製支持体１２０が発揮する弾発力でケーブル類Ｃの装着部位を囲繞保持するとともに矩形状のリンク枠体１１０に対する圧着力を増大させている。
【００３０】
さらに、発泡樹脂製支持体１２０は、屈曲内周側連結板１１２及び屈曲外周側連結板１１３をそれぞれ掴持するように成形されている。
これにより、発泡樹脂製支持体１２０がリンク枠体１１０に対して確実に位置決め支持されてケーブル収容空間内の長手方向に不用意に位置ズレすることなくケーブル類Ｃを確実に保持している。
【００３１】
そして、大略直方体状の発泡樹脂製支持体１２０には、屈曲外周側から屈曲内周側に向けて垂直に切り込んでケーブル類Ｃを着脱自在に装着するスリット状開口部１２１、１２１をそれぞれ備えている。
これにより、発泡樹脂製支持体１２０に対するケーブル類Ｃの着脱操作がスリット状開口部１２１を介して出し入れ可能となり、ケーブル類Ｃを着脱自在に装着する時のみ弾力的に開閉するため、ケーブル収容空間内でケーブル類Ｃを安定した状態で確実に掴持している。
【００３２】
また、この発泡樹脂製支持体１２０には、ケーブル類Ｃをそれぞれ着脱自在に装着する２筋のスリット状開口部１２１、１２１に連通してケーブル類Ｃの装着部位を囲繞保持する２カ所のケーブル保持部１２２、１２２が、屈曲外周側から屈曲内周側に向けて垂直に切り込んだ屈曲内周側連結板１１２と屈曲外周側連結板１１３との略中間位置にケーブル類Ｃのケーブル径よりも小径の穴形態で形成されている。
これにより、ケーブル類Ｃを装着したケーブル保持部１２２、１２２が弾力的に変形するため、ケーブル類Ｃが屈曲する際に、ケーブル類Ｃを過度に引き伸ばそうとする力や圧縮しようとする力が発生しても、これらの力を発泡樹脂製支持体１２０の弾性変形により吸収している。 
【００３３】
このようにして得られた本発明の第１実施例であるケーブル類保護案内装置１００は、ケーブル類Ｃの装着部位を囲繞保持する発泡樹脂製支持体１２０がリンク枠体１１０に対して圧着状態でケーブル収容空間内に配置されていることにより、従来のケーブル類保護案内装置９００で用いた横仕切板および縦仕切板を必要とすることなく、ケーブル収容空間内におけるケーブル類Ｃを確実に保持するとともに、従来のケーブル類保護案内装置９００で生じたような横仕切板および縦仕切板に対するケーブル類Ｃの摺動に起因した摩耗損傷と摺動音や衝突音からなる騒音を大幅に抑制し、発泡樹脂製支持体１２０からなる単一の簡素な部品でケーブル収容空間内におけるケーブル類の収容作業あるいは取り出し作業を極めて簡便に達成するとともに軽量で安価なケーブル保持機能を達成することができる。
【００３４】
そして、発泡樹脂製支持体１２０がスリット状開口部１２１とケーブル保持部１２２とを備えていることにより、従来のケーブル類保護案内装置で用いた横仕切板および縦仕切板の取り外し作業を必要とせずに、ケーブル収容空間内におけるケーブル類Ｃの着脱作業を極めて簡便に達成するとともに、スリット状開口部１２１がケーブル類Ｃを着脱自在に装着する時のみ弾力的に開閉してケーブル収容空間内のケーブル類Ｃを安定した状態で確実に掴持するとともにケーブル類Ｃが屈曲する際にケーブル類Ｃを過度に引き伸ばそうとする力や圧縮しようとする力が発生してもこれらの力を発泡樹脂製支持体１２０の弾性変形により吸収してケーブル類Ｃの屈曲疲労を大幅に軽減することができるなど、その効果は甚大である。
【００３５】
つぎに、上述した第１実施例のケーブル類保護案内装置１００で用いた発泡樹脂製支持体１２０の変形例である第２実施例乃至第６実施例を図３乃至図７に基づいて以下に説明する。
ここで、本発明の第２実施例乃至第６実施例として示す発泡樹脂製支持体２２０乃至６２０以外の具体的な装置構成は、上述した第１実施例のケーブル類保護案内装置１００と同じであるから、発泡樹脂製支持体２２０乃至６２０以外の具体的な装置構成は、１００番台の符号を２００番台乃至６００番台の符号に読み替えることによって、その説明を省略する。
【００３６】
まず、図３に示すような第２実施例で用いた発泡樹脂製支持体２２０は、ケーブル類Ｃを着脱自在に装着する１筋のスリット状開口部２２１に連通してケーブル類Ｃの装着部位を囲繞保持するケーブル保持部２２２が、屈曲外周側から屈曲内周側に向けて垂直に切り込んだ発泡樹脂製支持体２２０の略中間位置にケーブル類Ｃのケーブル径よりも小径の穴形態で形成されたものである。
【００３７】
また、図４に示すような第３実施例で用いた発泡樹脂製支持体３２０は、異なったケーブル径をもつ２つのケーブル類Ｃをそれぞれ着脱自在に装着する２筋のスリット状開口部３２１、３２１に連通してケーブル類Ｃの装着部位を囲繞保持する２カ所のケーブル保持部３２２、３２２が、屈曲外周側から屈曲内周側に向けて垂直に切り込んだ発泡樹脂製支持体３２０の略中間位置にそれぞれ形成されたものである。
【００３８】
また、図５に示すような第４実施例で用いた発泡樹脂製支持体４２０は、２つのケーブル類Ｃをそれぞれ着脱自在に装着する２筋のスリット状開口部４２１、４２１に連通してケーブル類Ｃの装着部位を囲繞保持する２カ所のケーブル保持部４２２、４２２が、屈曲外周側から屈曲内周側に向けて垂直に切り込んだ発泡樹脂製支持体４２０の略中間位置にケーブル類Ｃの細いケーブル径に合わせた穴形態でそれぞれ形成されたものである。
【００３９】
また、図６に示すような第５実施例で用いた発泡樹脂製支持体５２０は、２つのケーブル類Ｃをそれぞれ着脱自在に装着する２筋のスリット状開口部５２１、５２１に連通してケーブル類Ｃの装着部位を囲繞保持する２カ所のケーブル保持部５２２、５２２が、屈曲外周側から屈曲内周側に向けて垂直に切り込んだ発泡樹脂製支持体４２０の略中間位置にスリット状開口部５２１に連通して交差する弾性変形可能な別異のスリット形態でそれぞれ形成されたものである。
【００４０】
また、図７に示すような第６実施例で用いた発泡樹脂製支持体６２０は、２つのケーブル類Ｃをそれぞれ着脱自在に装着する２筋のスリット状開口部６２１、６２１に連通してケーブル類Ｃの装着部位を囲繞保持する２カ所のケーブル保持部６２２、６２２が、屈曲外周側から屈曲内周側に向けて垂直に切り込んだ発泡樹脂製支持体６２０の略中間位置にケーブル類のケーブル径と略同径の弾性変形可能な放射状スリット形態でそれぞれ形成されたものである。
【００４１】
このようにして得られた本発明の第２実施例乃至第６実施例で用いた発泡樹脂製支持体２２０乃至６２０は、前述したような第１実施例で用いた発泡樹脂製支持体１２０と同様に、従来のケーブル類保護案内装置９００で用いた横仕切板および縦仕切板を必要とすることなく、ケーブル収容空間内におけるケーブル類Ｃを確実に保持するとともに、従来のケーブル類保護案内装置９００で生じたような横仕切板および縦仕切板に対するケーブル類Ｃの摺動に起因した摩耗損傷と摺動音や衝突音からなる騒音を大幅に抑制し、発泡樹脂からなる単一の簡素な部品でケーブル収容空間内におけるケーブル類の収容作業あるいは取り出し作業を極めて簡便に達成するとともに軽量で安価なケーブル保持機能を達成することができるばかりでなく、ケーブル類Ｃを着脱自在に装着する時のみ弾力的に開閉してケーブル収容空間内のケーブル類Ｃを安定した状態で確実に掴持するとともにケーブル類Ｃが屈曲する際にケーブル類Ｃを過度に引き伸ばそうとする力や圧縮しようとする力が発生してもこれらの力を発泡樹脂の弾性変形により吸収してケーブル類Ｃの屈曲疲労を大幅に軽減することができるなど、その効果は甚大である。
【符号の説明】
【００４２】
１００  、９００  ・・・ケーブル類保護案内装置
１１０  、９１０  ・・・リンク枠体
１１１  、９１１  ・・・リンクプレート
１１１ａ、９１１ａ・・・連結ピン
１１１ｂ、９１１ｂ・・・連結ピン穴
１１２  、９１２  ・・・内周側連結板
１１３  、９１３  ・・・外周側連結板
１２０、２２０、３２０、４２０、５２０、６２０  ・・・発泡樹脂製支持体
１２１、２２１、３２１、４２１、５２１、６２１  ・・・スリット状開口部
１２２、２２２、３２２、４２２、５２２、６２２  ・・・ケーブル保持部
９２０  ・・・横仕切板
９３０  ・・・縦仕切板
Ｃ  ・・・ケーブル類
【図１】
2011220377.tif 000003
【図２】
2011220377.tif 000004
【図３】
2011220377.tif 000005
【図４】
2011220377.tif 000006
【図５】
2011220377.tif 000007
【図６】
2011220377.tif 000008
【図７】
2011220377.tif 000009
【図８】
2011220377.tif 000010
【図９】
2011220377.tif 000011